(57)【要約】  【課題】  構造的に充分な強度を有する石積構造を提案する。  【解決手段】  長さａの縦辺の中心の高さ方向にＨ型鋼挿入用の切り込み３を形成した第１の石材１と、横の長さが石材１の半分であって一方の縦辺の中心の高さ方向にＨ型鋼挿入用の切り込み４を形成するとともに上面２カ所にカスガイ挿入用の穴５を穿設した第２の石材２とを用意し、基礎に略１．５ａの間隔でＨ型鋼８〜１１を垂直に立設し、１個置きのＨ型鋼８，１０の横方向両側からそれぞれ第１の石材１の切り込み３が互いにＨ型鋼８，１０を囲むように横辺を突き当てて積み、次いでＨ型鋼９，１１の前後からそれぞれ第２の石材２の切り込み４が互いにＨ型鋼９，１１を囲むように縦辺を突き当てて積むと同時に石材２の穴５の間にそれぞれカスガイ６を挿入する。以後２段目以降は、第１の石材と第２の石材を交互に入れ換えて積み重ねる。【選択図】  図３
0003112378.tif 000002
【実用新案登録請求の範囲】
【請求項１】
縦、横、高さの各辺の長さがａ、ｂ、ｃであって一方の横辺の中心の高さ方向に構造材挿入用の切り込みを形成した第１の石材と、縦、横、高さの各辺の長さがａ、ｂ／２、ｃであって一方の縦辺の中心の高さ方向に構造材挿入用の切り込みを形成するとともに上面の長手方向左右対称な２カ所にカスガイ挿入用の穴を穿設した第２の石材とを用意し、基礎に略１．５ａの間隔で構造材を垂直に立設し、前記構造材のうち１個置きに配置されている第１の構造材群の構造材の横方向両側からそれぞれ前記第１の石材の切り込み部分が互いに構造材を囲むように横辺を突き当てて第１の石材を積み、次いで前記第１の構造材群の構造材に含まれない第２の構造材群の構造材の前後からそれぞれ前記第２の石材の切り込み部分が互いに構造材を囲むように縦辺を突き当てて第２の石材を積むと同時に前記２個の第２の石材の穴の間にそれぞれカスガイを挿入し、次に、各石材間に目地材を挿入して１段目を終了し、次いで２段目以後は順に前記第１の構造材群と第２の構造材群とを互いに入れ換えて、第１の石材と第２の石材を交互に積み重ねたことを特徴とする石積構造。
【請求項２】
請求項１に記載の石積構造において、
前記第１の石材の切り込み部分に囲まれた構造材の周囲の空間および前記第２の石材の切り込み部分に囲まれた構造材の周囲の空間に緩衝材として砂を注入したことを特徴とする石積構造。
【請求項３】
請求項１に記載の石積構造において、
前記第１の石材の切り込み部分に囲まれた構造材の周囲の空間および前記第２の石材の切り込み部分に囲まれた構造材の周囲の空間に緩衝材として砂とセメントを混合したものを注入したことを特徴とする石積構造。
【請求項４】
請求項１乃至３のいずれかに記載の石積構造において、
前記構造材としてＨ型鋼を用いたことを特徴とする石積構造。
【考案の詳細な説明】
【技術分野】
【０００１】
本考案は、組石造、すなわち石積構造に関し、詳しくは石材を住宅の壁材として用いることを可能にした石積構造に関する。
【背景技術】
【０００２】
大谷石等の石材は、断熱、吸湿、脱臭、殺菌等の効果があるため、昔から、建築物、特に倉の壁材として使用されている。しかし、現在では、耐震等の安全性の基準により、組石造は高さ２ｍに制限されている。そのため、昔のように、そのまま石材を積み上げて倉や住宅の壁材として使用することができなくなった。それでも石材を使用しようとする場合は、積み上げた石材の内側に、別に鉄骨等の構造材を設けて補強する必要があり、壁の厚みが石材のみの場合に比べて相当厚くなり、また、建築コストもその分増大してしまい、石材を使用する場合の障害となっていた。なお、建物の壁面に天然石を石積みしたり、あるいは天然石を表面に張り合わせたような自然調の美しい凹凸模様面を持った壁面を構成したりすることを目的として、特許文献１に記載の「表面加工されたパネルの壁構造」が提案されている。
【特許文献１】特開２０００−１７０３５４号公報
【考案の開示】
【考案が解決しようとする課題】
【０００３】
しかしながら、上述した特許文献１に記載の壁構造は、建物の壁下地に天然石を取り付ける構造であるため、壁が厚くなるという問題があった。そこで、本考案は、石材を積み上げる構造でありながらも、構造的な補強のために厚くなることがなく、かつ構造的にも充分な強度を有する石積構造を提案することを目的とした。
【課題を解決するための手段】
【０００４】
上記課題を解決するために、本考案の石積構造は、縦、横、高さの各辺の長さがａ、ｂ、ｃであって一方の横辺の中心の高さ方向に構造材挿入用の切り込みを形成した第１の石材と、縦、横、高さの各辺の長さがａ、ｂ／２、ｃであって一方の縦辺の中心の高さ方向に構造材挿入用の切り込みを形成するとともに上面の長手方向左右対称な２カ所にカスガイ挿入用の穴を穿設した第２の石材とを用意し、基礎に略１．５ａの間隔で構造材を垂直に立設し、前記構造材のうち１個置きに配置されている第１の構造材群の構造材の横方向両側からそれぞれ前記第１の石材の切り込み部分が互いに構造材を囲むように横辺を突き当てて第１の石材を積み、次いで前記第１の構造材群の構造材に含まれない第２の構造材群の構造材の前後からそれぞれ前記第２の石材の切り込み部分が互いに構造材を囲むように縦辺を突き当てて第２の石材を積むと同時に前記２個の第２の石材の穴の間にそれぞれカスガイを挿入し、次に、各石材間に目地材を挿入して１段目を終了し、次いで２段目以後は順に前記第１の構造材群と第２の構造材群とを互いに入れ換えて、第１の石材と第２の石材を交互に積み重ねたことを特徴とする。
【０００５】
前記第１の石材の切り込み部分に囲まれた構造材の周囲の空間および前記第２の石材の切り込み部分に囲まれた構造材の周囲の空間に緩衝材として砂を注入することが好ましい。同様に、前記第１の石材の切り込み部分に囲まれた構造材の周囲の空間および前記第２の石材の切り込み部分に囲まれた構造材の周囲の空間に緩衝材として砂とセメントを混合したものを注入することが好ましい。なお、前記構造材としてＨ型鋼を用いることが可能である。
【考案の効果】
【０００６】
以上述べたように本考案によれば、２種類の石材を組み合わせて、その石材内部にＨ型鋼等の構造材を収納する構造としたため、厚みを増すことなく構造的に強度が増す。その結果、住宅の壁としての必要な強度が得られて、石材を用いての住宅建築が可能となり、断熱性、防音性等に優れた石造りの住宅の建築が可能となる。
【考案を実施するための最良の形態】
【０００７】
以下、図に基づいて本考案の実施形態を説明する。
図１は本考案に用いられる第１の石材の形状と各辺の寸法を示す斜視図である。図示されるように、第１の石材１は、大谷石等からなる直方体であって、縦辺の長さａ、横辺の長さｂ、高さの辺の長さｃである。具体的には、縦辺の長さａが９０ｃｍ、横辺の長さｂが３０ｃｍ、高さの辺の長さｃが１５〜１８ｃｍ程度が適当な値である。横辺の中心部分には、構造材として補強に使用されるH型鋼を挿通するための断面四角形の切り込み３が形成されている。H型鋼は一辺の長さが１０ｃｍまたは１５ｃｍのものが適当である。その結果、切り込み３の断面の寸法は、片側のクリアランス１ｃｍを含み、１２ｃｍ×６ｃｍまたは１７ｃｍ×８．５ｃｍ程度となる。
【０００８】
図２は本考案に用いられる第２の石材の形状と各辺の寸法を示す斜視図である。図示されるように、第２の石材２は、大谷石等からなる直方体であって、縦辺の長さａ、横辺の長さｂ／２、高さの辺の長さｃ、すなわち、図１の石材１の半分の大きさである。具体的には、第１の石材１の寸法に対応して、縦辺の長さａが９０ｃｍ、横辺の長さｂが１５ｃｍ、高さの辺の長さｃが１５〜１８ｃｍとなる。縦辺の中心部分には、構造材として補強に使用されるH型鋼を挿通するための断面四角形の切り込み４が形成されている。切り込み４の断面の寸法は、図１の石材１と同じく、１２ｃｍ×６ｃｍまたは１７ｃｍ×８．５ｃｍ程度となる。また、上面の縦方向の対称な２点にカスガイ６を挿入するための、穴５が穿設されている。穴５と切り込み４が形成されている垂直面との距離は、使用されるカスガイ６の釘間の距離から目地の厚みを差し引いた値の半分となる。
【０００９】
図３は本考案における石積の手順および構造を示す斜視図である。図示されるように、コンクリート等からなる基礎７に、石材１，２の縦辺の長さａに対して、略１．５ａの間隔で、H型鋼８〜１１を垂直に立設する。厳密には、縦辺の長さａに、石材１，２等の間の目地分を加算した値が、H型鋼８〜１１の間隔となる。ここで、基礎７の上にモルタル等の目地材を敷いてから、１個置きに配置されているH型鋼８，１０の横方向両側から、それぞれ第１の石材１の切り込み３が互いにH型鋼８，１０の左右を囲むように横辺を突き当てて、第１の石材１を積む。
【００１０】
このH型鋼８，１０と切り込み３との係合で、石材１の前後の移動が阻止される。次いで、残りのH型鋼９，１１の前後から、それぞれ第２の石材２の切り込み４が互いにH型鋼９，１１の前後を囲むように縦辺を突き当てて第２の石材２を積む。同時に、相対向する第２の石材２の穴５と穴５の間にそれぞれカスガイ６を挿入する。このカスガイ６により、前後の石材２と石材２が前後に離間することが阻止される。次に、石材１，２のそれぞれの間に目地材を挿入して１段目を終了する。
【００１１】
２段目は、１段目の上に目地材を敷いてから、H型鋼８，１０とH型鋼９，１１とを入れ換えて、１段目と同じ要領で、石材１と石材２を交互に積んで、石材２の間にカスガイ６を挿入する。以後、３段目以降も、同様な要領で、石材１と石材２を交互に積んで、石材２の間にカスガイ６を挿入して、積み重ねていく。なお、H型鋼８〜１１の周囲の切り込み部分３および切り込み部分４に囲まれた空間には、適宜、緩衝材として、砂または砂とセメントを混合したものを注入する。
【００１２】
図４は本考案に係る石積構造を用いた住宅の施工例を示す間取図である。図示の住宅では、扉と窓を除く外壁の全ての部分が石材を積み上げて構成されている。石材の間には、Ｈ型鋼が垂直に配置されて補強しているため、構造的に充分な強度が得られ、１階だけでなく２階の壁についても同様に石材を積み上げて構成することが可能となる。このように、本考案では、石材の中間部分に、構造材を垂直方向に挿通することで強度を増して、石材の住宅への使用を可能にしたため、大谷石等の石材を用いて、断熱、吸湿、脱臭、殺菌等の効果を備えた快適な住宅の供給が可能となる。なお、上述した実施形態では、補強用の構造材としてＨ型鋼を使用しているが、他にＩ型鋼、Ｃ型鋼、角パイプ、丸パイプ等の使用も可能である。
【産業上の利用可能性】
【００１３】
本考案は、住宅以外に、店舗、倉庫等の建築にも利用可能である。また、使用する石材も、大谷石以外の他の石材を使用することが可能である。
【図面の簡単な説明】
【００１４】
【図１】本考案に用いられる第１の石材の形状と各辺の寸法を示す斜視図である。
【図２】本考案に用いられる第２の石材の形状と各辺の寸法を示す斜視図である。
【図３】本考案における石積の手順および構造を示す斜視図である。
【図４】本考案に係る石積構造を用いた住宅の施工例を示す間取図である。
【符号の説明】
【００１５】
１  第１の石材
２  第２の石材
３  切り込み
４  切り込み
５  穴
６  カスガイ
７  基礎
８〜１１  H型鋼
【図１】
0003112378.tif 000003
【図２】
0003112378.tif 000004
【図３】
0003112378.tif 000005
【図４】
0003112378.tif 000006